(57)【要約】【課題】無線リソースの浪費を抑えつつ送信点間のキャリブレーションを高精度に行う。【解決手段】送信制御装置は、メモリと、メモリに接続されたプロセッサとを有し、プロセッサは、それぞれ信号を無線送信する複数の送信点間に生成されたリンクのホップ数に対応する階層を特定し、特定された階層を順次切り替えつつ、互いに隣接する階層に属する送信点に対して、信号の送受信に用いられ且つ時間軸上で連続する無線リソースを割り当てる処理を実行する。【選択図】図２
2019004345.tif 000002
【特許請求の範囲】
【請求項１】
メモリと、
前記メモリに接続されたプロセッサとを有し、
前記プロセッサは、
それぞれ信号を無線送信する複数の送信点間に生成されたリンクのホップ数に対応する階層を特定し、
特定された階層を順次切り替えつつ、互いに隣接する階層に属する送信点に対して、前記信号の送受信に用いられ且つ時間軸上で連続する無線リソースを割り当てる
処理を実行することを特徴とする送信制御装置。
【請求項２】
前記プロセッサは、
前記複数の送信点に割り当てられた無線リソースを用いて、前記複数の送信点に前記信号としてキャリブレーション信号を送受信させ、
キャリブレーション信号を用いたチャネル推定結果に基づいて、前記複数の送信点が備える送信回路及び受信回路の伝送特性の相違を校正するキャリブレーション係数を算出する
処理をさらに実行することを特徴とする請求項１に記載の送信制御装置。
【請求項３】
前記割り当てる処理は、前記特定された階層の数に対応する複数の無線リソースを、奇数階層に属する送信点及び偶数階層に属する送信点に対して、交互に割り当てることを特徴とする請求項１に記載の送信制御装置。
【請求項４】
前記割り当てる処理は、奇数階層に属する送信点に対して、前記信号の送受信に用いられ且つ時間軸上で連続する２つの無線リソースのうち一方の無線リソースを割り当て、偶数階層に属する送信点に対して、前記２つの無線リソースのうち他方の無線リソースを割り当てることを特徴とする請求項１に記載の送信制御装置。
【請求項５】
前記割り当てる処理は、
前記特定された階層ごとに、前記信号の送受信に用いられる無線リソースが当該階層に属する送信点に割り当てられたと仮定し、上位の階層から当該階層に至るまでに前記無線リソースが割り当てられた送信点の総数が上限値以下であるか否かを判定し、
前記無線リソースが割り当てられた前記送信点の総数が前記上限値以下である場合に、当該階層に属する送信点に対して、前記無線リソースを割り当て、
前記無線リソースが割り当てられた前記送信点の総数が前記上限値を超える場合に、当該階層に隣接する上位の階層に属する送信点に割り当て済みの前記無線リソースに時間軸上で連続し且つ未割り当ての無線リソースを当該階層に属する送信点に対して割り当てる
ことを特徴とする請求項１に記載の送信制御装置。
【請求項６】
前記割り当てる処理は、
前記無線リソースが割り当てられた送信点の総数が前記上限値を超える場合に、前記階層に隣接する上位の階層に属する送信点に対して、割り当て済みの前記無線リソースに加えて、未割り当ての無線リソースを割り当てる
ことを特徴とする請求項５に記載の送信制御装置。
【請求項７】
前記割り当てる処理は、
前記無線リソースが割り当てられた送信点の総数が前記上限値以下である場合に、時間軸上で前記無線リソースと順方向又は逆方向に連続する他の無線リソースが前記階層に隣接する下位の階層に属する送信点に割り当てられたと仮定し、上位の階層から当該下位の階層に至るまでに前記他の無線リソースが割り当てられた送信点の総数が前記上限値以下であるか否かを判定し、
前記他の無線リソースが割り当てられた前記送信点の総数が前記上限値以下である場合に、前記階層に属する送信点に対して、前記無線リソースを割り当て、
前記他の無線リソースが割り当てられた前記送信点の総数が前記上限値を超える場合に、前記階層に隣接する上位の階層に属する送信点に割り当て済みの前記無線リソースに時間軸上で連続し且つ未割り当ての無線リソースを、前記階層に属する送信点に対して割り当てる
ことを特徴とする請求項５又は６に記載の送信制御装置。
【請求項８】
前記上限値は、同一の前記無線リソースに多重可能な時間領域以外のリソースの数を示す値であることを特徴とする請求項５〜７のいずれか一つに記載の送信制御装置。
【請求項９】
送信制御装置と前記送信制御装置に接続された複数の送信点とを有する無線通信システムであって、
前記送信制御装置は、
メモリと、
前記メモリに接続されたプロセッサとを有し、
前記プロセッサは、
それぞれ信号を無線送信する複数の送信点間に生成されたリンクのホップ数に対応する階層を特定し、
特定された階層を順次切り替えつつ、互いに隣接する階層に属する送信点に対して、前記信号の送受信に用いられ且つ時間軸上で連続する無線リソースを割り当てる処理を実行し、
前記複数の送信点は、
キャリブレーション信号に対して無線送信処理を実行し、前記割り当てる処理において割り当てられた無線リソースを用いて、無線送信処理後のキャリブレーション信号を前記信号として送信する送信回路と、
前記割り当てる処理において割り当てられた無線リソースを用いて、キャリブレーション信号を前記信号として受信し、受信したキャリブレーション信号に対して無線受信処理を実行する受信回路とを有する
ことを特徴とする無線通信システム。
【請求項１０】
それぞれ信号を無線送信する複数の送信点間に生成されたリンクのホップ数に対応する階層を特定し、
特定された階層を順次切り替えつつ、互いに隣接する階層に属する送信点に対して、前記信号の送受信に用いられ且つ時間軸上で連続する無線リソースを割り当てる
処理を有することを特徴とする無線リソース割当方法。
【発明の詳細な説明】
【技術分野】
【０００１】
本発明は、送信制御装置、無線通信システム及び無線リソース割当方法に関する。
【背景技術】
【０００２】
一般に、送受信が時分割で行われるＴＤＤ（Time  Division  Duplex）を採用する無線通信システムでは、上り回線（Uplink：以下「ＵＬ」と略記する）及び下り回線（Downlink：以下「ＤＬ」と略記する）において同一周波数帯の信号が送受信される。このため、無線チャネルの対称性により、ＵＬ及びＤＬの無線チャネルは同等であるとみなすことが可能である。この性質を利用して、例えば基地局装置は、ユーザ端末から送信されたＵＬの参照信号を用いてＵＬのチャネル推定を実行し、ＵＬのチャネル推定値をＤＬのチャネル推定値とみなして、ＤＬの信号のプリコーディングなどを実行する。
【０００３】
ところで、ＵＬ及びＤＬの無線チャネルは対称であり同等である一方、基地局装置及びユーザ端末などの各装置の送受信回路の伝送特性は異なっている。このため、例えば基地局装置がＵＬの参照信号から推定するＵＬのチャネル推定値は、実際のＤＬのチャネルを正確に示すものではない。
【０００４】
すなわち、例えばＵＬの信号は、ユーザ端末の送信回路を通過してＵＬの無線チャネルを経由し、基地局装置の受信回路を通過する。これに対して、ＤＬの信号は、基地局装置の送信回路を通過してＤＬの無線チャネルを経由し、ユーザ端末の受信回路を通過する。このため、基地局装置がチャネル推定するＵＬのチャネルは、ユーザ端末の送信回路及び基地局装置の受信回路を含む一方で、実際のＤＬのチャネルは、基地局装置の送信回路及びユーザ端末の受信回路を含む。そして、送信回路及び受信回路の伝送特性は、基地局装置とユーザ端末とで異なっているため、これらの送受信回路の伝送特性の相違によって、ＵＬ及びＤＬのチャネルは互いに相違する。
【０００５】
そこで、ＵＬのチャネル推定値から正確なＤＬのチャネル推定値を得るために、キャリブレーションが実行されることがある。キャリブレーションは、複数の送受信回路の伝送特性の相違を校正する処理であり、例えば試験信号を送受信することにより、複数のチャネルにおける位相回転及び振幅変動などの相対関係を求める。具体的に、例えば図１３に示すように、送信回路Ｔ１及び受信回路Ｒ１を有する装置１と送信回路Ｔｋ及び受信回路Ｒｋを有する装置ｋとのキャリブレーションについて説明する。
【０００６】
図１３に示す２つのアンテナ間で試験信号を送受信することにより、伝達関数Ｔ1で表される送信回路Ｔ１、無線チャネル及び伝達関数Ｒkで表される受信回路Ｒｋからなるチャネルのチャネル推定値ｈ1,kと、伝達関数Ｔkで表される送信回路Ｔｋ、無線チャネル及び伝達関数Ｒ1で表される受信回路Ｒ１からなるチャネルのチャネル推定値ｈk,1とが得られる。これらのチャネル推定値ｈ1,k、ｈk,1の比は、下記の式（１）で表される。
【数１】
2019004345.tif 000003
【０００７】
ただし、式（１）において、ｇ1,k及びｇk,1はそれぞれ無線チャネルの伝搬路値であり、両方向の送受信において同一の値とみなすことができる。式（１）から、装置１の送信回路Ｔ１及び受信回路Ｒ１に関する補正係数ｕ1を１と定義すると、装置ｋの送信回路Ｔｋ及び受信回路Ｒｋに関する補正係数ｕkは、下記の式（２）のようになる。
【数２】
2019004345.tif 000004
【０００８】
このようにして装置ｋの補正係数ｕkを求めておくことにより、例えば装置ｋから装置１へ送信された信号のチャネル推定値ｈk,1に補正係数ｕkを乗算すれば、装置１から装置ｋへ向かうチャネルの正確なチャネル推定値ｈ1,kが得られる。
【０００９】
キャリブレーションは、例えば１つのベースバンド処理装置に接続された複数の送信点（Transmission  Point：以下「ＴＰ」と略記する）が協調してユーザ端末へ信号を送信するＣｏＭＰ（Coordinated  Multi-Point  transmission）などにおいても実行される。複数のＴＰから信号が送信される場合には、各ＴＰの送受信回路の伝送特性の相違を校正するキャリブレーションが実行される。すなわち、例えばキャリブレーション対象の２つのＴＰ間で試験信号が送受信され、試験信号を用いて２つのＴＰ間のチャネル推定値が求められることにより、２つのＴＰのキャリブレーションが実行される。このように、複数のＴＰからペアを形成し、各ペアについて順次キャリブレーションすることにより、無線通信システム全体のＴＰのキャリブレーションを実現することができる。
【先行技術文献】
【特許文献】
【００１０】
【特許文献１】特表２０１３−５４２６７２号公報
【特許文献２】国際公開第２０１３／０８４９９１号
【特許文献３】特表２０１５−５１０２８２号公報
【特許文献４】特開２０１１−１５３１８号公報
【非特許文献】
【００１１】
【非特許文献１】実川大介、瀬山崇志、小林崇春、大山哲平、伊達木隆、関宏之、箕輪守彦、「５Ｇ超高密度分散アンテナシステムにおける送信点間キャリブレーション方式の検討」、信学技報  ＲＣＳ２０１６−１４２、電子情報通信学会、２０１６年８月
【発明の概要】
【発明が解決しようとする課題】
【００１２】
しかしながら、複数のＴＰについてキャリブレーションを実行する際には、キャリブレーションの精度が低下する恐れがあるという問題がある。具体的には、例えば上述したように、キャリブレーション対象の２つのＴＰが試験信号を送受信してキャリブレーションが実行される場合には、２つのＴＰにおける試験信号の送受信のタイミングが一致することがある。２つのＴＰにおける試験信号の送受信のタイミングが一致すると、１つのＴＰにおいて送信される試験信号が他のＴＰから受信される試験信号に干渉して２つのＴＰ間のチャネル推定の精度が低下し、結果として、キャリブレーションの信頼性が低くなる。一方で、２つのＴＰにおける試験信号の送受信のタイミングが大幅に離れることもある。２つのＴＰにおける試験信号の送受信のタイミングが大幅に離れると、２つのＴＰの間の無線チャネルに時間的な変動が生じてチャネル推定の精度が低下し、結果として、キャリブレーションの信頼性が低くなる。
【００１３】
このようなキャリブレーションの精度の低下を抑えるために、ベースバンド処理装置に接続された全てのＴＰから形成された各ペアに関して、試験信号の送受信を時分割で順次行うことが考えられる。しかしながら、試験信号の送受信を時分割で順次行う場合には、全てのＴＰのペアで試験信号の送受信を完了するまでに時間がかかり、結果として、無線リソース（特に、時間のリソース）が浪費されてしまう。
【００１４】
開示の技術は、無線リソースの浪費を抑えつつ送信点間のキャリブレーションを高精度に行うことができる送信制御装置、無線通信システム及び無線リソース割当方法を提供することを目的とする。
【課題を解決するための手段】
【００１５】
本願の開示する送信制御装置は、一つの態様において、メモリと、前記メモリに接続されたプロセッサとを有し、前記プロセッサは、それぞれ信号を無線送信する複数の送信点間に生成されたリンクのホップ数に対応する階層を特定し、特定された階層を順次切り替えつつ、互いに隣接する階層に属する送信点に対して、前記信号の送受信に用いられ且つ時間軸上で連続する無線リソースを割り当てる処理を実行する。
【発明の効果】
【００１６】
本願の開示する送信制御装置の一つの態様によれば、無線リソースの浪費を抑えつつ送信点間のキャリブレーションを高精度に行うことができるという効果を奏する。
【図面の簡単な説明】
【００１７】
【図１】図１は、実施例１に係る無線通信システムの構成を示す図である。
【図２】図２は、実施例１に係るベースバンド処理装置の構成を示すブロック図である。
【図３】図３は、複数のＴＰ間に生成されたＣＡＬリンクの一例を示す図である。
【図４】図４は、実施例１に係る階層の特定の具体例を示す図である。
【図５】図５は、実施例１に係る無線リソースの割り当ての具体例を示す図である。
【図６】図６は、実施例１に係るＤＬ送信方法を示すフロー図である。
【図７】図７は、実施例２に係る無線リソースの割り当ての具体例を示す図である。
【図８】図８は、実施例３に係る無線リソースの割り当ての具体例を示す図である。
【図９】図９は、実施例４に係る無線リソースの割り当ての具体例を示す図である。
【図１０】図１０は、ＣＡＬリンクのホップ数に対応する階層と、各階層に属するＴＰの数との関係の一例を示す図である。
【図１１】図１１は、実施例５に係る無線リソースの割り当ての具体例を示す図である。
【図１２】図１２は、実施例５に係る無線リソース割当処理を示すフロー図である。
【図１３】図１３は、キャリブレーションを説明する図である。
【発明を実施するための形態】
【００１８】
以下に、本願の開示する送信制御装置、無線通信システム及び無線リソース割当方法の実施例を図面に基づいて詳細に説明する。なお、この実施例により開示技術が限定されるものではない。また、実施例において同等の機能を有する構成には同一の符号を付し、重複する説明は省略される。
【００１９】
［実施例１］
図１は、実施例１に係る無線通信システムの構成を示す図である。図１に示すように、無線通信システムは、ベースバンド処理装置１００と複数の送信点（ＴＰ）１１０とを有し、各ＴＰ１１０は、ベースバンド処理装置１００に接続されている。なお、図１では省略したが、他の複数のＴＰが他のベースバンド処理装置に接続されて配置されても良い。
【００２０】
ベースバンド処理装置１００は、図示しないユーザ端末に対して信号を送信する際に、複数のＴＰ１１０を協調させて信号を送信させる。すなわち、ベースバンド処理装置１００は、ユーザ端末宛てのベースバンド信号を生成し、プリコーディングをした上で、送信元のＴＰ１１０へベースバンド信号を送信する。このとき、ベースバンド処理装置１００は、ユーザ端末から各ＴＰ１１０へ向かう上り回線（ＵＬ）のチャネル推定値に基づいて各ＴＰ１１０からユーザ端末へ向かう下り回線（ＤＬ）のチャネル推定値を算出し、ＤＬのチャネル推定値からプリコーディング行列を生成する。
【００２１】
また、ベースバンド処理装置１００は、複数のＴＰ１１０による協調送信を実行するために、複数のＴＰ１１０のキャリブレーションを実行する。すなわち、ベースバンド処理装置１００は、自装置に接続された複数のＴＰ１１０からペアを形成し、形成したペアのＴＰ１１０間にキャリブレーション用のリンク（以下「ＣＡＬリンク」という）を生成する。そして、ベースバンド処理装置１００は、ＣＡＬリンクを介してキャリブレーション用の参照信号（以下「ＣＡＬ信号」という）を送受信させ、ＴＰ１１０間のキャリブレーションを実行する。
【００２２】
ベースバンド処理装置１００は、ＣＡＬリンクを生成する際、第１層のＴＰである起点のＴＰ１１０との間で条件を満たすＴＰ１１０を検索し、該当するＴＰ１１０を第２層のＴＰに設定し、起点のＴＰ１１０と第２層のＴＰとの間にＣＡＬリンクを生成する。そして、ベースバンド処理装置１００は、第２層のＴＰそれぞれとの間で条件を満たすＴＰ１１０を検索し、該当するＴＰ１１０を第３層のＴＰに設定するとともに、対応する第２層のＴＰとの間にＣＡＬリンクを生成する。以下、ベースバンド処理装置１００は、起点のＴＰ１１０からのＣＡＬリンクのホップ数に対応する階層ごとにＣＡＬリンクの生成を繰り返し、自装置に接続するＴＰ１１０の間のＣＡＬリンクを生成する。
【００２３】
また、ベースバンド処理装置１００は、ＣＡＬリンクを介してＣＡＬ信号を送受信させる際、ＣＡＬリンクで接続されたＴＰ１１０に対して、ＣＡＬ信号の送受信に用いられる無線リソースを割り当てる。すなわち、ベースバンド処理装置１００は、ＣＡＬリンクのホップ数に対応する階層を順次切り替えつつ、互いに隣接する階層のＴＰ１１０に対して、ＣＡＬ信号の送受信に用いられ且つ時間軸上で連続する無線リソースを割り当てる。ベースバンド処理装置１００による無線リソースの割り当てについては、後に詳述する。
【００２４】
ＴＰ１１０は、図示しないユーザ端末との間で無線通信する。すなわち、ＴＰ１１０は、ユーザ端末宛てのベースバンド信号をベースバンド処理装置１００から受信すると、このベースバンド信号に対して所定の無線送信処理を施し、アンテナを介して無線送信する。また、ＴＰ１１０は、ユーザ端末から無線送信された信号をアンテナを介して受信し、受信信号に対して所定の無線受信処理を施す。そして、ＴＰ１１０は、無線受信処理によって得られたベースバンド信号をベースバンド処理装置１００へ送信する。
【００２５】
ＴＰ１１０は、アンテナごとにそれぞれ送信回路及び受信回路を有している。送信回路は、例えばＤ／Ａ（Digital/Analog）変換及びアップコンバートなどの無線送信処理を実行し、受信回路は、例えばダウンコンバート及びＡ／Ｄ（Analog/Digital）変換などの無線受信処理を実行する。
【００２６】
これらのアンテナごとの送信回路及び受信回路は、異なる伝送特性を有するため、上述したように、ベースバンド処理装置１００によってキャリブレーションが実行される。キャリブレーション時には、送信回路は、ＣＡＬ信号に対して無線送信処理を実行し、ベースバンド処理装置１００によって割り当てられた無線リソースを用いて、無線送信処理後のＣＡＬ信号を送信する。また、受信回路は、ベースバンド処理装置１００によって割り当てられた無線リソースを用いて、ＣＡＬ信号を受信し、受信したＣＡＬ信号に対して無線受信処理を実行する。
【００２７】
なお、ＴＰ１１０が複数のアンテナを備える場合には、各ＴＰ１１０においてあらかじめ決定された基準アンテナ間のキャリブレーションが実行されても良い。この場合、それぞれのＴＰ１１０において、基準アンテナと他のアンテナとの間のキャリブレーションが実行されれば、すべてのＴＰ１１０間及びすべてのアンテナ間でのキャリブレーションが実行されたことになる。
【００２８】
図２は、実施例１に係るベースバンド処理装置１００の構成を示すブロック図である。図２に示すベースバンド処理装置１００は、送信インタフェース部（以下「送信Ｉ／Ｆ部」と略記する）２０１、受信インタフェース部（以下「受信Ｉ／Ｆ部」と略記する）２０２、プロセッサ２０３及びメモリ２０４を有する。
【００２９】
送信Ｉ／Ｆ部２０１は、複数のＴＰ１１０と接続し、プロセッサ２０３から出力される信号を各ＴＰ１１０へ送信する。
【００３０】
受信Ｉ／Ｆ部２０２は、複数のＴＰ１１０と接続し、各ＴＰ１１０から送信された信号を受信し、プロセッサ２０３へ出力する。
【００３１】
プロセッサ２０３は、例えばＣＰＵ（Central  Processing  Unit）、ＦＰＧＡ（Field  Programmable  Gate  Array）又はＤＳＰ（Digital  Signal  Processor）などを備え、メモリ２０４を利用して種々の処理を実行する。具体的には、プロセッサ２０３は、測定信号送信部２５０、測定信号受信部２５１、ＳＩＲ算出部２５２、ＣＡＬリンク生成部２５３、無線リソース割当部２５４、ＣＡＬ信号送信部２５５、ＣＡＬ信号受信部２５６及びＣＡＬ係数算出部２５７を有する。また、プロセッサ２０３は、ＵＬ信号受信部２５８、チャネル推定値補正部２５９及びＤＬ信号送信部２６０を有する。
【００３２】
測定信号送信部２５０は、ＴＰ１１０間のＳＩＲを測定するための既知の測定信号を各ＴＰ１１０から順番に送信させる。すなわち、測定信号送信部２５０は、送信Ｉ／Ｆ部２０１に接続されたＴＰ１１０から１つずつ順番に測定信号を送信させる。測定信号送信部２５０は、各ＴＰ１１０からの測定信号の送信を、例えば１日１回などの所定の周期で実行する。また、測定信号送信部２５０は、例えば後述するＣＡＬ信号受信部２５６によって受信されるＣＡＬ信号の平均受信レベルが所定の閾値未満になった場合に、各ＴＰ１１０からの測定信号の送信を実行しても良い。測定信号は、ＴＰ１１０間のＣＡＬリンク生成に利用される。
【００３３】
測定信号受信部２５１は、ＴＰ１１０から順次送信され他のＴＰ１１０が受信した測定信号を受信する。すなわち、上述したように、ＴＰ１１０は１つずつ順番に測定信号を送信するため、各ＴＰ１１０は、自己以外のＴＰ１１０から送信された測定信号を受信する。なお、測定信号送信部２５０及び測定信号受信部２５１による測定信号の送受信は、例えばＴＤＤにおいてＤＬとＵＬが切り替わる境界に配置されるガードピリオド（Guard  Period：ＧＰ）を利用して実行されても良い。
【００３４】
ＳＩＲ算出部２５２は、測定信号受信部２５１によって受信された測定信号を用いて、ＴＰ１１０間の無線品質を測定する。具体的には、ＳＩＲ算出部２５２は、２つのＴＰ１１０の組み合わせごとに、両方向に送信された測定信号のＳＩＲをそれぞれ算出する。したがって、ＳＩＲ算出部２５２は、すべてのＴＰ１１０のペアについて、両方向のＳＩＲを算出する。
【００３５】
ＣＡＬリンク生成部２５３は、ＳＩＲ算出部２５２によって算出されたＳＩＲを用いて、キャリブレーションを実行するペアのＴＰ１１０間にＣＡＬリンクを生成する。すなわち、ＣＡＬリンク生成部２５３は、無線品質が所定の基準を満たすＴＰ１１０をペアに決定し、ペアとなるＴＰ１１０間をＣＡＬリンクによって接続する。
【００３６】
具体的には、ＣＡＬリンク生成部２５３は、１つのＴＰ１１０を第１層のＴＰである起点に決定し、起点のＴＰ１１０との間のＳＩＲが所定の閾値以上のＴＰ１１０を検索する。そして、ＣＡＬリンク生成部２５３は、該当するＴＰ１１０を第２層のＴＰに設定し、起点のＴＰ１１０と第２層のＴＰ１１０との間にＣＡＬリンクを生成する。
【００３７】
さらに、ＣＡＬリンク生成部２５３は、第２層のＴＰ１１０を順次１つずつ選択し、選択中のＴＰ１１０との間のＳＩＲが所定の閾値以上のＴＰ１１０を検索する。そして、ＣＡＬリンク生成部２５３は、該当するＴＰ１１０のうち他のＴＰ１１０と未接続のＴＰ１１０を第３層のＴＰに設定し、選択中の第２層のＴＰ１１０と第３層のＴＰ１１０との間にＣＡＬリンクを生成する。
【００３８】
以降、ＣＡＬリンク生成部２５３は、上記の処理を繰り返して、第２層のＴＰ１１０すべてが第３層のＴＰ１１０と接続されると、第３層のＴＰ１１０についても順次１つずつ選択して第４層のＴＰ１１０との間にＣＡＬリンクを生成する。このとき、ＣＡＬリンク生成部２５３は、ＳＩＲが所定の閾値以上で基準を満たすＴＰ１１０であっても、既に他のＴＰ１１０と接続しているＴＰ１１０は除外してＴＰ１１０のペアを決定していく。したがって、ＣＡＬリンク生成部２５３は、起点のＴＰ１１０に近い上位の階層から順にＣＡＬリンクを生成していき、一度生成したＣＡＬリンクは変更しない。このため、ＣＡＬリンクを生成する処理量の増大を抑制することができる。
【００３９】
図３は、複数のＴＰ１１０間に生成されたＣＡＬリンクの一例を示す図である。図３において、白い点はＴＰの位置を示し、＃ｍ（ｍは整数）はＴＰの識別番号を示し、矢印はＣＡＬリンクを示す。
【００４０】
図３に示すように、第１層のＴＰである起点のＴＰ＃１が選択されると、起点のＴＰ＃１との間のＳＩＲが所定の閾値以上のＴＰが第２層のＴＰに設定され、起点のＴＰ＃１とＣＡＬリンクで接続される。図３では、１０個のＴＰ（ＴＰ＃４、ＴＰ＃７、ＴＰ＃９、ＴＰ＃１４、ＴＰ＃１５、ＴＰ＃１６、ＴＰ＃１８、ＴＰ＃１９、ＴＰ＃２０及びＴＰ＃３１）が第２層のＴＰに設定され、起点のＴＰ＃１とＣＡＬリンクで接続されている。
【００４１】
そして、第２層のＴＰが順次選択され、選択中の第２層のＴＰとの間のＳＩＲが所定の閾値以上のＴＰが第３層のＴＰに設定され、選択中の第２層のＴＰとＣＡＬリンクで接続される。図３では、３個のＴＰ（ＴＰ＃２、ＴＰ＃３０及びＴＰ＃２２）が第３層のＴＰに設定され、対応する第２層のＴＰとＣＡＬリンクで接続されている。
【００４２】
以降、起点のＴＰ＃１からのＣＡＬリンクのホップ数に対応する階層ごとにＣＡＬリンクの生成が繰り返される。これにより、図３では、最終的に１個のＴＰ（ＴＰ＃２５）が末端の階層である第７層のＴＰに設定され、対応する第６層のＴＰとＣＡＬリンクで接続されている。
【００４３】
図２の説明に戻る。無線リソース割当部２５４は、ＣＡＬリンク生成部２５３によって生成されたＣＡＬリンクで接続されたＴＰ１１０に対して、ＣＡＬ信号の送受信に用いられる無線リソースを割り当てる。
【００４４】
具体的には、無線リソース割当部２５４は、ＣＡＬリンクのホップ数に対応する階層を特定し、特定された階層を順次切り替えつつ、互いに隣接する階層に属するＴＰ１１０に対してＣＡＬ信号の送受信に用いられ且つ時間軸上で連続する無線リソースを割り当てる。ここで、無線リソースは、時間のリソースであり、例えば、ＯＦＤＭシンボルである。
【００４５】
図４は、実施例１に係る階層の特定の具体例を示す図である。図４では、図３に示したＣＡＬリンクのホップ数に対応する階層が特定された様子が示されている。すなわち、起点のＴＰ＃１のＣＡＬリンクのホップ数は０であるので、起点のＴＰ＃１が属する階層として第１層が特定される。また、起点のＴＰ＃１からＴＰ＃４、ＴＰ＃７、ＴＰ＃９、ＴＰ＃１４、ＴＰ＃１５、ＴＰ＃１６、ＴＰ＃１８、ＴＰ＃１９、ＴＰ＃２０及びＴＰ＃３１の各々に到達するまでのＣＡＬリンクのホップ数は１である。このため、これら１０個のＴＰ（ＴＰ＃４、ＴＰ＃７、ＴＰ＃９、ＴＰ＃１４、ＴＰ＃１５、ＴＰ＃１６、ＴＰ＃１８、ＴＰ＃１９、ＴＰ＃２０及びＴＰ＃３１）が属する階層として第２層が特定される。また、起点のＴＰ＃１からＴＰ＃２、ＴＰ＃３０及びＴＰ＃２２の各々に到達するまでのＣＡＬリンクのホップ数は２である。このため、これら３個のＴＰ（ＴＰ＃２、ＴＰ＃３０及びＴＰ＃２２）が属する階層として第３層が特定される。また、起点のＴＰ＃１からＴＰ＃３、ＴＰ＃５、ＴＰ＃６、ＴＰ＃１２、ＴＰ＃２１及びＴＰ＃２３の各々に到達するまでのＣＡＬリンクのホップ数は３である。このため、これら６個のＴＰ（ＴＰ＃３、ＴＰ＃５、ＴＰ＃６、ＴＰ＃１２、ＴＰ＃２１及びＴＰ＃２３）が属する階層として第４層が特定される。また、起点のＴＰ＃１からＴＰ＃１１、ＴＰ＃１３、ＴＰ＃２６、ＴＰ＃１７、ＴＰ＃３２及びＴＰ＃８の各々に到達するまでのＣＡＬリンクのホップ数は４である。このため、これら６個のＴＰ（ＴＰ＃１１、ＴＰ＃１３、ＴＰ＃２６、ＴＰ＃１７、ＴＰ＃３２及びＴＰ＃８）が属する階層として第５層が特定される。また、起点のＴＰ＃１からＴＰ＃２７、ＴＰ＃２８、ＴＰ＃２９、ＴＰ＃１０及びＴＰ＃２４に到達するまでのＣＡＬリンクのホップ数は５である。このため、これら５個のＴＰ（ＴＰ＃２７、ＴＰ＃２８、ＴＰ＃２９、ＴＰ＃１０及びＴＰ＃２４）が属する階層として第６層が特定される。また、起点のＴＰ＃１からＴＰ＃２５に到達するまでのＣＡＬリンクのホップ数は６であるので、この１個のＴＰ（ＴＰ＃２５）が属する階層として第７層が特定される。
【００４６】
図５は、実施例１に係る無線リソースの割り当ての具体例を示す図である。図５では、無線リソース割当部２５４が、図４に示した階層に属するＴＰに対して無線リソース（ＯＦＤＭシンボル）を割り当てる様子が示されている。図５に示すように、無線リソース割当部２５４は、特定された階層の数に対応する複数のシンボルを、奇数階層のＴＰ及び偶数階層のＴＰに対して、交互に割り当てる。図５に示す例では、７個の階層（第１層〜第７層）に対応する７個のシンボル（第１シンボル〜第７シンボル）が、奇数階層のＴＰ及び偶数階層のＴＰに対して、交互に割り当てられる。すなわち、第１層、第３層、第５層及び第７層のＴＰに対して、第１シンボル、第３シンボル、第５シンボル及び第７シンボルがそれぞれ割り当てられる。一方で、第２層、第４層及び第６層のＴＰに対して、第２シンボル、第４シンボル及び第６シンボルがそれぞれ割り当てられる。これにより、互いに隣接する階層に属するＴＰに対して、ＣＡＬ信号の送受信に用いられ且つ時間軸上で連続する無線リソース（シンボル）が割り当てられる。このため、互いに隣接する階層に属する２つのＴＰにおけるＣＡＬ信号の送受信のタイミングが一致する事態や、逆に、２つのＴＰにおけるＣＡＬ信号の送受信のタイミングが大幅に離れる事態が回避される。結果として、キャリブレーションの精度を低下させる要因となるＣＡＬ信号の干渉や、２つのＴＰの間の無線チャネルの時間的な変動が抑制される。
【００４７】
図２の説明に戻る。ＣＡＬ信号送信部２５５は、ＣＡＬリンク生成部２５３によって生成されたＣＡＬリンクを介して複数のＴＰ１１０からＣＡＬ信号を送信させる。このとき、ＣＡＬ信号送信部２５５は、無線リソース割当部２５４によって割り当てられた無線リソースを用いて、複数のＴＰ１１０からＣＡＬ信号を送信させる。複数のＴＰ１１０が互いに隣接する階層に属する場合には、無線リソース割当部２５４によって複数のＴＰ１１０に割り当てられた無線リソースは、時間軸上で連続する。このため、互いに隣接する階層に属する複数のＴＰ１１０におけるＣＡＬ信号の送受信のタイミングが一致する事態や、逆に、複数のＴＰ１１０におけるＣＡＬ信号の送受信のタイミングが大幅に離れる事態が回避される。結果として、キャリブレーションの精度を低下させる要因となるＣＡＬ信号の干渉や、複数のＴＰ１１０の間の無線チャネルの時間的な変動が抑制される。
【００４８】
ＣＡＬ信号受信部２５６は、ＣＡＬリンク生成部２５３によって生成されたＣＡＬリンクを介して各ＴＰ１１０に受信されたＣＡＬ信号を受信する。このとき、ＣＡＬ信号受信部２５６は、無線リソース割当部２５４によって割り当てられた無線リソースを用いて、各ＴＰ１１０に受信されたＣＡＬ信号を受信する。
【００４９】
ＣＡＬ係数算出部２５７は、ＣＡＬ信号受信部２５６によって受信されたＣＡＬ信号を用いてチャネル推定を実行し、各ＴＰ１１０の送信回路及び受信回路の伝送特性の相違を校正するキャリブレーション係数（以下「ＣＡＬ係数」と略記する）を算出する。具体的には、ＣＡＬ係数算出部２５７は、以下のようなキャリブレーション行列Ｃを生成する。
【００５０】
すなわち、ＣＡＬリンクで接続されたＴＰ＃ｍ（ｍは整数）からＴＰ＃ｎ（ｎは整数、ｎ≠ｍ）へ信号を送信する場合のチャネル推定値ｈTP(m,n)と、逆方向に信号を送信する場合のチャネル推定値ｈTP(n,m)とは、それぞれ以下のように表される。
ｈTP(m,n)＝Ｒn・ｇTP(m,n)・Ｔm
ｈTP(n,m)＝Ｒm・ｇTP(n,m)・Ｔn
【００５１】
ただし、ｇTP(m,n)及びｇTP(n,m)はそれぞれ無線チャネルの伝搬路値であり、両方向の送受信において同一の値とみなすことができる。また、Ｔm及びＲmはＴＰ＃ｍの送信回路及び受信回路の伝達関数であり、Ｔn及びＲnはＴＰ＃ｎの送信回路及び受信回路の伝達関数である。これらのチャネル推定値は、ＣＡＬ信号受信部２５６によって受信されたＣＡＬ信号に対するチャネル推定を実行することにより求められる。ここで、ＣＡＬリンクで直接接続されたＴＰ＃ｍとＴＰ＃ｎの間の校正係数ｃm,nを、以下のようにチャネル推定値の比であるものとする。
【数３】
2019004345.tif 000005
【００５２】
各ＴＰ１１０は、ＣＡＬリンクによって接続されているため、任意の２つのＴＰ１１０は、１又は複数のＣＡＬリンクを辿って接続することができる。そこで、例えばＴＰ＃０〜＃８の９個のＴＰ１１０がベースバンド処理装置１００に接続されている場合、ＴＰ＃０を基準としたＴＰ＃０〜＃８の校正係数ｃ0〜ｃ8は、例えば以下のように表される。
ｃ0＝１
ｃ1＝ｃ0,1
ｃ2＝ｃ0,2
ｃ3＝ｃ0,3
ｃ4＝ｃ0,1・ｃ1,4
ｃ5＝ｃ0,1・ｃ1,5
ｃ6＝ｃ0,2・ｃ2,6
ｃ7＝ｃ0,2・ｃ2,7
ｃ8＝ｃ0,8
【００５３】
これらの校正係数において、例えば校正係数ｃ1、ｃ2、ｃ3、ｃ8は、上記のＣＡＬリンクで接続されたＴＰ１１０間の校正係数に等しいことから、ＴＰ＃１、＃２、＃３、＃８は、ＴＰ＃０に直接接続されたＴＰ１１０であることがわかる。一方、校正係数ｃ4、ｃ5、ｃ6、ｃ7は、上記のＣＡＬリンクで接続されたＴＰ１１０間の校正係数の積で表されていることから、ＴＰ＃４、＃５、＃６、＃７は、他のＴＰ１１０を経由してＴＰ＃０に接続されたＴＰ１１０であることがわかる。具体的には、ＴＰ＃４、＃５はＴＰ＃１を経由してＴＰ＃０に接続し、ＴＰ＃６、＃７はＴＰ＃２を経由してＴＰ＃０に接続することがわかる。このような場合、ＣＡＬ係数算出部２５７は、キャリブレーション行列Ｃとして、校正係数ｃ0〜ｃ8を対角成分に有する対角行列を求める。すなわち、ＣＡＬ係数算出部２５７は、以下の式（３）に示すキャリブレーション行列Ｃを生成する。
【数４】
2019004345.tif 000006
【００５４】
ただし、式（３）において、diag（）は対角行列を表す。このようなキャリブレーション行列Ｃは、ＴＰ＃０の送信回路及び受信回路の伝達関数を基準とした、各ＴＰ＃０〜＃８における送信回路及び受信回路の伝達関数の比を示している。このため、キャリブレーション行列Ｃの逆行列Ｃ-1をＵＬのチャネル行列に乗算することにより、ＤＬのチャネル行列を得ることが可能となる。
【００５５】
ＵＬ信号受信部２５８は、ユーザ端末から送信されて各ＴＰ１１０によって受信されたＵＬ信号を受信する。そして、ＵＬ信号受信部２５８は、ＵＬ信号を用いて、ユーザ端末と各ＴＰ１１０の間のチャネル推定値を算出する。このとき、ＵＬ信号受信部２５８は、複数のユーザ端末と複数のＴＰ１１０のそれぞれの組み合わせごとのチャネル推定値を成分とするＵＬチャネル行列を生成する。
【００５６】
チャネル推定値補正部２５９は、ＵＬ信号受信部２５８によって算出されたチャネル推定値を、ＣＡＬ係数算出部２５７によって算出されたＣＡＬ係数によって補正する。すなわち、チャネル推定値補正部２５９は、ＵＬ信号受信部２５８によって算出されたＵＬのチャネル推定値をＣＡＬ係数によって補正することにより、ＤＬのチャネル推定値を得る。具体的には、チャネル推定値補正部２５９は、ＵＬ信号受信部２５８によって生成されたＵＬチャネル行列に、ＣＡＬ係数算出部２５７によって生成されたキャリブレーション行列Ｃの逆行列Ｃ-1を乗算する。これにより、チャネル推定値補正部２５９は、ＵＬチャネル行列からＤＬのチャネル行列を得る。
【００５７】
ＤＬ信号送信部２６０は、チャネル推定値補正部２５９によって得られたＤＬのチャネル推定値を用いて、ユーザ端末を送信先とするＤＬ信号を送信する。具体的には、ＤＬ信号送信部２６０は、ＤＬのチャネル推定値を用いてＤＬ信号のプリコーディング行列を生成し、ＤＬ信号をプリコーディングした上で各ＴＰ１１０へ送信する。これにより、ＤＬ信号は、各ＴＰ１１０から適切な送信ウェイトで送信され、ユーザ端末における干渉を低減することが可能となる。
【００５８】
次いで、上記のように構成されたベースバンド処理装置１００によるＤＬ信号の送信方法について、図６に示すフロー図を参照しながら説明する。図６は、実施例１に係るＤＬ送信方法を示すフロー図である。
【００５９】
例えば１日に１回などの所定の周期が到来した際やＣＡＬ信号の平均受信レベルが所定の閾値未満になった際には、ＣＡＬリンクを生成するために既知の測定信号がＴＰ１１０間で送受信される（ステップＳ１０１）。具体的には、測定信号送信部２５０によって、１つのＴＰ１１０からの測定信号の送信が順次指示され、他のＴＰ１１０によって受信された測定信号が測定信号受信部２５１によって受信される。測定信号の送受信は、例えばＤＬ及びＵＬのいずれの信号も送受信されないＧＰを利用して実行されても良い。
【００６０】
そして、測定信号受信部２５１によって受信された測定信号が用いられることにより、ＴＰ１１０間のＳＩＲが算出される（ステップＳ１０２）。すなわち、すべてのＴＰ１１０のペアごとに測定信号が送受信されているため、ＳＩＲ算出部２５２によって、各ペアのＴＰ１１０間のＳＩＲが算出される。すべてのペアについてＳＩＲが算出されると、ＣＡＬリンク生成部２５３によって、ＣＡＬ信号の送受信に用いられるＣＡＬリンクが生成される（ステップＳ１０３）。
【００６１】
ＣＡＬリンク生成の際には、１つの起点のＴＰ１１０が選択され、起点のＴＰ１１０からＳＩＲが所定の基準を満たすＴＰ１１０が順次接続される。このとき、起点のＴＰ１１０からのホップ数が少ないＴＰ１１０から順にＣＡＬリンクが生成される。換言すれば、上位の階層のＴＰ１１０から順にＣＡＬリンクが生成され、一度生成されたＣＡＬリンクは、下位の階層のＴＰ１１０についてＣＡＬリンクが生成される際に変更されない。
【００６２】
ＣＡＬリンクが生成されると、無線リソース割当部２５４によって、ＣＡＬ信号の送受信に用いられる無線リソースが、ＣＡＬリンクで接続されたＴＰ１１０に対して割り当てられる（ステップＳ１０４）。
【００６３】
無線リソース割り当ての際には、ＣＡＬリンクのホップ数に対応する階層が特定され、特定された階層が順次切り替えられ、互いに隣接する階層に属するＴＰ１１０に対して、時間軸上で連続する無線リソース（シンボル）が割り当てられる。なお、無線リソース割当処理については、後に詳述する。
【００６４】
ＣＡＬリンクが生成され且つ無線リソースが割り当てられると、ＣＡＬリンクによって接続されたＴＰ１１０間でＣＡＬ信号が送受信される（ステップＳ１０５）。具体的には、ＣＡＬ信号送信部２５５によって、いずれかのＴＰ１１０からのＣＡＬ信号の送信が順次指示され、他のＴＰ１１０によって受信されたＣＡＬ信号がＣＡＬ信号受信部２５６によって受信される。このとき、無線リソース割当部２５４によって割り当てられた無線リソースを用いて、互いに隣接する階層に属する複数のＴＰ１１０からＣＡＬ信号が送信されるようにＣＡＬ信号送信部２５５によって指示される。
【００６５】
ＣＡＬ信号が送受信されると、ＣＡＬ係数算出部２５７によってＣＡＬ信号を用いたチャネル推定が実行され、各ＴＰ１１０間のチャネル推定値に基づいて、各ＴＰ１１０の送信回路及び受信回路の伝送特性の相違を校正するＣＡＬ係数が算出される（ステップＳ１０６）。具体的には、ＣＡＬ係数算出部２５７によって、例えば上式（３）で示したキャリブレーション行列Ｃ及びその逆行列Ｃ-1が算出される。キャリブレーション行列Ｃは、各ＴＰ１１０の送信回路及び受信回路の伝送特性の比を対角成分に有する行列であり、その逆行列Ｃ-1をＵＬのチャネル行列に乗算することにより、ＤＬのチャネル行列が求められる。
【００６６】
このように、ＣＡＬリンクによって接続されるＴＰ１１０間のＣＡＬ信号の送受信によってキャリブレーションが実行されることにより、ＵＬのチャネル行列をＤＬのチャネル行列に補正することが可能となる。そこで、ユーザ端末からＵＬの信号が送信されると、この信号はユーザ端末の通信相手のＴＰ１１０によって受信され、ベースバンド処理装置１００へ送信される。そして、ＵＬ信号は、ＵＬ信号受信部２５８によって受信され（ステップＳ１０７）、ＵＬのチャネル推定が実行される（ステップＳ１０８）。すなわち、ＵＬ信号受信部２５８によって、ユーザ端末とＴＰ１１０の間のＵＬのチャネル行列が求められる。
【００６７】
求められたＵＬのチャネル行列は、チャネル推定値補正部２５９へ出力され、チャネル推定値補正部２５９によって、チャネル推定値が補正される（ステップＳ１０９）。具体的には、ＵＬのチャネル行列にキャリブレーション行列Ｃの逆行列Ｃ-1が乗算されることにより、ＤＬのチャネル行列が求められる。
【００６８】
そして、ＤＬのチャネル行列がＤＬ信号送信部２６０へ出力され、ＤＬ信号送信部２６０によって、ＤＬの信号に送信ウェイトを適用するためのプリコーディング行列が生成される（ステップＳ１１０）。このとき、ＤＬ信号送信部２６０は、チャネル推定値補正部２５９によって補正されたチャネル推定値を用いてプリコーディング行列を生成する。すなわち、ＵＬのチャネル行列を補正して得られたＤＬのチャネル行列に基づいて、プリコーディング行列が生成される。
【００６９】
そして、ユーザ端末宛てのＤＬの信号がプリコーディング行列を用いてプリコーディングされ、送信Ｉ／Ｆ部２０１からそれぞれのＴＰ１１０へ送信される（ステップＳ１１１）。ＤＬの信号は、各ＴＰ１１０からユーザ端末へ無線送信される。このように、ＵＬチャネル行列を補正して得られたＤＬチャネル行列からプリコーディング行列を求めてＤＬの信号をプリコーディングするため、ユーザ端末におけるＤＬの信号の受信特性を向上することができる。
【００７０】
次に、ステップＳ１０４における無線リソース割当処理について、説明する。ステップＳ１０４における無線リソース割当処理は、主に無線リソース割当部２５４によって実行される。
【００７１】
まず、ＣＡＬリンクのホップ数に対応する階層が特定される。階層が特定されると、特定された階層の数に対応する複数の無線リソース（シンボル）が準備される。ＣＡＬリンクのホップ数に対応する階層の数に対応する複数のシンボルが準備されると、複数のシンボルが奇数階層のＴＰ１１０及び偶数階層のＴＰ１１０に対して、交互に割り当てられる。これにより、互いに隣接する階層に属するＴＰに対して、ＣＡＬ信号の送受信に用いられ且つ時間軸上で連続する無線リソース（シンボル）が割り当てられる。このため、互いに隣接する階層に属する２つのＴＰにおけるＣＡＬ信号の送受信のタイミングが一致する事態や、逆に、２つのＴＰにおけるＣＡＬ信号の送受信のタイミングが大幅に離れる事態が回避される。これにより、キャリブレーションの精度を低下させる要因となるＣＡＬ信号の干渉や、２つのＴＰの間の無線チャネルの時間的な変動が抑制される。その結果、２つのＴＰ間で送受信されるＣＡＬ信号を用いたチャネル推定結果に基づくキャリブレーションにおいて、ＣＡＬ信号の干渉や無線チャネルの時間的な変動に起因したチャネル推定精度の低下が抑制され、精度の高いキャリブレーションが可能となる。
【００７２】
以上のように、本実施例によれば、複数のＴＰ間に生成されたＣＡＬリンクのホップ数に対応する階層を順次切り替えつつ、互いに隣接する階層に属するＴＰに対して、ＣＡＬ信号の送受信に用いられ且つ時間軸上で連続する無線リソースを割り当てる。そして、すべてのＴＰに無線リソースが割り当てられると、割り当てられた無線リソースを用いてＣＡＬ信号を送受信することにより、キャリブレーションを実行する。このため、互いに隣接する階層に属する２つのＴＰにおけるＣＡＬ信号の送受信のタイミングが一致する事態や、逆に、２つのＴＰにおけるＣＡＬ信号の送受信のタイミングが大幅に離れる事態が回避される。これにより、キャリブレーションの精度を低下させる要因となるＣＡＬ信号の干渉や、２つのＴＰの間の無線チャネルの時間的な変動が抑制される。その結果、２つのＴＰ間で送受信されるＣＡＬ信号を用いたチャネル推定結果に基づくキャリブレーションにおいて、ＣＡＬ信号の干渉や無線チャネルの時間的な変動に起因したチャネル推定精度の低下が抑制され、精度の高いキャリブレーションが可能となる。また、ＣＡＬ信号を送受信する際に、複数のＴＰから形成される各ペアに関してＣＡＬ信号の送受信を時分割で順次行う処理等を省略することができ、結果として、無線リソースの浪費が抑えられる。つまり、本実施例によれば、無線リソースの浪費を抑えつつＴＰ間のキャリブレーションを高精度に行うことができる。
【００７３】
［実施例２］
実施例２では、奇数階層に属する送信点に対して１つの無線リソースを割り当て、偶数階層に属する送信点に対して１つの無線リソースを割り当てる。なお、実施例２のベースバンド処理装置の基本構成は、実施例１のベースバンド処理装置１００と同様であるので、図２を参照して説明する。
【００７４】
実施例２のベースバンド処理装置１００において、無線リソース割当部２５４は、ＣＡＬリンクのホップ数に対応する階層を特定した後、以下の処理を行う。すなわち、無線リソース割当部２５４は、奇数階層に属するＴＰ１１０に対して、時間軸上で連続する２つの無線リソースのうち一方の無線リソースを割り当てる。一方で、無線リソース割当部２５４は、偶数階層に属するＴＰ１１０に対して、時間軸上で連続する２つの無線リソースのうち他方の無線リソースを割り当てる。
【００７５】
図７は、実施例２に係る無線リソースの割り当ての具体例を示す図である。図７では、無線リソース割当部２５４が、図４に示した階層に属するＴＰに対して無線リソース（ＯＦＤＭシンボル）を割り当てる様子が示されている。図７に示すように、無線リソース割当部２５４は、奇数階層に属するＴＰ１１０に対して、時間軸上で連続する２つのシンボルのうち一方のシンボルを割り当てる。一方で、無線リソース割当部２５４は、偶数階層に属するＴＰ１１０に対して、時間軸上で連続する２つのシンボルのうち他方のシンボルを割り当てる。図７に示す例では、奇数階層である第１層、第３層、第５層及び第７層のＴＰに対して、第１シンボルが割り当てられ、偶数階層である第２層、第４層及び第６層のＴＰに対して、時間軸上で第１シンボルに連続する第２シンボルが割り当てられる。これにより、互いに隣接する階層に属するＴＰに対して、ＣＡＬ信号の送受信に用いられ且つ時間軸上で連続する無線リソース（シンボル）が割り当てられる。
【００７６】
以上のように、本実施例によれば、奇数階層に属するＴＰに対して、時間軸上で連続する２つの無線リソースのうち一方の無線リソースを割り当て、偶数階層に属するＴＰに対して、他方の無線リソースを割り当てる。これにより、ＣＡＬ信号の送受信に用いられる無線リソースを減らすことができ、結果として、無線リソースの浪費をさらに抑制することができる。
【００７７】
［実施例３］
上記実施例２では、ある階層に属するＴＰに対して無条件に無線リソースを割り当てた。これに対し、実施例３では、上位の階層からある階層に至るまでに１つの無線リソースが割り当てられたＴＰの総数が上限値以下である場合にのみ、当該階層に属するＴＰに対して無線リソースを割り当てる。なお、実施例３のベースバンド処理装置の基本構成は、実施例１のベースバンド処理装置１００と同様であるので、図２を参照して説明する。
【００７８】
実施例３のベースバンド処理装置１００において、無線リソース割当部２５４は、ＣＡＬリンクのホップ数に対応する階層を特定した後、以下の処理を行う。すなわち、無線リソース割当部２５４は、特定された階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまでに１つの無線リソースが割り当てられたＴＰ１１０の総数が上限値以下であるか否かを判定する。ここで、上限値は、例えば、同一の無線リソース（シンボル）に多重可能な時間領域以外のリソースの数を示す値である。同一の無線リソース（シンボル）に多重可能な時間領域以外のリソースは、例えば、周波数のリソースや符号のリソースである。
【００７９】
そして、無線リソース割当部２５４は、１つの無線リソースが割り当てられたＴＰ１１０の総数が上限値以下である場合に、切替後の階層に属するＴＰ１１０に対して、１つの無線リソースを割り当てる。一方、無線リソース割当部２５４は、ＴＰ１１０の総数が上限値を超える場合に、切替後の階層に隣接する上位の階層のＴＰ１１０に割り当て済みの無線リソースに時間軸上で連続し且つ未割り当ての無線リソースを切替後の階層に属するＴＰ１１０に割り当てる。
【００８０】
図８は、実施例３に係る無線リソースの割り当ての具体例を示す図である。図８では、無線リソース割当部２５４が、図４に示した階層に属するＴＰに対して無線リソース（ＯＦＤＭシンボル）を割り当てる様子が示されている。また、図８において、同一のシンボルに多重可能な時間領域以外のリソースの数を示す値が１５であるものとする。言い換えると、１つのシンボルが割り当てられたＴＰの総数の上限値が１５であるものとする。図８に示すように、無線リソース割当部２５４は、第１層から順に階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまで１つの無線リソースが割り当てられたＴＰ１１０の総数が上限値である１５以下であるか否かを判定する。そして、無線リソース割当部２５４は、ＴＰ１１０の総数が１５以下である場合に、切替後の階層に属するＴＰ１１０に対して、１つの無線リソースを割り当てる。図８に示す例では、上位の第１層から第３層に至るまで第２シンボルが割り当てられたＴＰ１１０の総数が上限値（つまり、１５）以下の４であるため、第１層及び第３層のＴＰ１１０に対して、第２シンボルが割り当てられる。また、第２層に至るまで第３シンボルが割り当てられたＴＰ１１０の総数が上限値（つまり、１５）以下の１０であるため、第２層のＴＰ１１０に対して、第３シンボルが割り当てられる。
【００８１】
一方、無線リソース割当部２５４は、ＴＰ１１０の総数が上限値を超える場合に、切替後の階層に隣接する上位の階層のＴＰ１１０に割り当て済みの無線リソースに時間軸上で連続し且つ未割り当ての無線リソースを切替後の階層に属するＴＰ１１０に割り当てる。図８に示す例では、第４層に第３シンボルが割り当てられたと仮定すると、上位の第２層から第４層に至るまで第３シンボルが割り当てられたＴＰ１１０の総数が上限値（つまり、１５）を超える１６である。このため、図８に示す例では、第４層に隣接する上位の第３層のＴＰ１１０に割り当て済みの第２シンボルに時間軸上で連続し且つ未割り当ての第１シンボルが、第４層のＴＰ１１０に対して、割り当てられる。これにより、互いに隣接する階層に属するＴＰに対して、ＣＡＬ信号の送受信に用いられ且つ時間軸上で連続する無線リソース（シンボル）が割り当てられる。
【００８２】
以上のように、本実施例によれば、上位の階層からある階層に至るまでに１つの無線リソースが割り当てられたＴＰの総数が上限値以下である場合にのみ、当該階層に属するＴＰに対して無線リソースを割り当てる。ここで、上限値は、例えば、同一の無線リソース（シンボル）に多重可能な時間領域以外のリソースの数を示す値である。これにより、同一の無線リソースが割り当てられたＴＰの総数が、同一の無線リソース（シンボル）に多重可能な時間領域以外のリソースの数を超えることがない。このため、同一の無線リソースにおいて、時間領域以外のリソース、すなわち、周波数のリソースや符号のリソースどうしの干渉を回避することができる。
【００８３】
［実施例４］
上記実施例３では、上位の階層からある階層に至るまでに１つの無線リソースが割り当てられたＴＰの総数が上限値を超える場合に、未割り当ての無線リソースを当該階層に属するＴＰに割り当てた。これに対し、実施例４では、上位の階層からある階層に至るまでに１つの無線リソースが割り当てられたＴＰの総数が上限値を超える場合に、当該階層に隣接する上位の階層のＴＰに対して、未割り当ての無線リソースを追加する。なお、実施例４のベースバンド処理装置の基本構成は、実施例１のベースバンド処理装置１００と同様であるので、図２を参照して説明する。
【００８４】
実施例４のベースバンド処理装置１００において、無線リソース割当部２５４は、ＣＡＬリンクのホップ数に対応する階層を特定した後、以下の処理を行う。すなわち、無線リソース割当部２５４は、特定された階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまでに１つの無線リソースが割り当てられたＴＰ１１０の総数が上限値以下であるか否かを判定する。ここで、上限値は、例えば、同一の無線リソース（シンボル）に多重可能な時間領域以外のリソースの数を示す値である。同一の無線リソース（シンボル）に多重可能な時間領域以外のリソースは、例えば、周波数のリソースや符号のリソースである。
【００８５】
そして、無線リソース割当部２５４は、１つの無線リソースが割り当てられたＴＰ１１０の総数が上限値以下である場合に、切替後の階層に属するＴＰ１１０に対して、１つの無線リソースを割り当てる。一方、無線リソース割当部２５４は、ＴＰ１１０の総数が上限値を超える場合に、切替後の階層に隣接する上位の階層のＴＰ１１０に対して、割り当て済みの無線リソースに加えて、未割り当ての無線リソースを割り当てる。
【００８６】
図９は、実施例４に係る無線リソースの割り当ての具体例を示す図である。図１０は、ＣＡＬリンクのホップ数に対応する階層と、各階層に属するＴＰの数との関係の一例を示す図である。図９では、無線リソース割当部２５４が、図１０に示した階層に属するＴＰに対して無線リソース（ＯＦＤＭシンボル）を割り当てる様子が示されている。また、図９において、同一のシンボルに多重可能な時間領域以外のリソースの数を示す値が１０であるものとする。言い換えると、１つのシンボルが割り当てられたＴＰの総数の上限値が１０であるものとする。
【００８７】
図９に示すように、無線リソース割当部２５４は、第１層から順に階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまで１つの無線リソースが割り当てられたＴＰ１１０の総数が上限値（つまり、１０）以下であるか否かを判定する。そして、無線リソース割当部２５４は、ＴＰ１１０の総数が上限値（つまり、１０）以下である場合に、切替後の階層に属するＴＰ１１０に対して、１つの無線リソースを割り当てる。図９に示す例では、上位の第１層から第３層に至るまでに第１シンボルが割り当てられたＴＰ１１０の総数が上限値（つまり、１０）以下の９であるため、第１層及び第３層のＴＰ１１０に対して、第１シンボルが割り当てられる。また、上位の第２層から第４層に至るまで第２シンボルが割り当てられたＴＰ１１０の総数が上限値（つまり、１０）以下の３であるため、第２層及び第４層のＴＰ１１０に対して、第２シンボルが割り当てられる。
【００８８】
一方、無線リソース割当部２５４は、ＴＰ１１０の総数が上限値を超える場合に、切替後の階層に隣接する上位の階層のＴＰ１１０に割り当て済みの無線リソースに時間軸上で連続し且つ未割り当ての無線リソースを切替後の階層に属するＴＰ１１０に割り当てる。図９に示す例では、第５層に第１シンボルが割り当てられたと仮定すると、上位の第１層から第５層に至るまで第１シンボルが割り当てられたＴＰ１１０の総数が上限値（つまり、１０）を超える１８である。このため、図９に示す例では、第５層に隣接する上位の第４層のＴＰ１１０に割り当て済みの第２シンボルに時間軸上で連続し且つ未割り当ての第３シンボルが、第５層のＴＰ１１０に対して、割り当てられる。
【００８９】
さらに、図９に示す例では、上位の第２層から第６層に至るまで第２シンボルが割り当てられたＴＰ１１０の総数が上限値（つまり、１０）以下の９であるため、第６層のＴＰ１１０に対して、第２シンボルが割り当てられる。そして、第６層のＴＰ１１０に対して第２シンボルが割り当てられると、階層が第６層から第７層に切り替えられ、第７層のＴＰ１１０に対して第２シンボルに連続する第１シンボル又は第３シンボルが割り当てられたと仮定される。すると、上位の第１層から第７層に至るまで第１シンボルが割り当てられたＴＰ１１０の総数が上限値（つまり、１０）を超える１４である。また、上位の第５層から第７層に至るまで第３シンボルが割り当てられたＴＰ１１０の総数が上限値（つまり、１０）を超える１４である。
【００９０】
そこで、無線リソース割当部２５４は、切替後の階層に隣接する上位の階層のＴＰ１１０に対して、割り当て済みの無線リソースに加えて、未割り当ての無線リソースを割り当てる。図９に示す例では、切替後の第７層に隣接する上位の第６層のＴＰ１１０に対して、割り当て済みの第２シンボルに加えて、２個目のシンボルとして未割り当ての第４シンボルが割り当てられる。これにより、互いに隣接する階層に属するＴＰに対して、ＣＡＬ信号の送受信に用いられ且つ時間軸上で連続する無線リソース（シンボル）が割り当てられる。
【００９１】
以上のように、本実施例によれば、上位の階層からある階層に至るまでに１つの無線リソースが割り当てられたＴＰの総数が上限値を超える場合に、当該階層に隣接する上位の階層のＴＰに対して、未割り当ての無線リソースを追加する。これにより、同一の無線リソースが割り当てられたＴＰの総数が、同一の無線リソース（シンボル）に多重可能な時間領域以外のリソースの数を超える場合であっても、他の未割り当ての無線リソースが上位の階層のＴＰに追加される。このため、同一の無線リソースにおいて、時間領域以外のリソース、すなわち、周波数のリソースや符号のリソースどうしの干渉をより安定的に回避することができる。
【００９２】
［実施例５］
上記実施例４では、上位の階層からある階層に至るまでに１つの無線リソースが割り当てられたＴＰの総数が上限値を超える場合に、当該階層に隣接する上位の階層のＴＰに対して、未割り当ての無線リソースを追加した。しかしながら、一つのＴＰに対して割り当てられる無線リソースが２つになると、ＣＡＬ信号の送受信に用いられる無線リソースの数が増えてしまう。そこで、実施例５では、１つのＴＰに対して２つの無線リソースが割り当てられる機会を減らすために、無線リソースを割り当てる際の条件を厳格化した。なお、実施例５のベースバンド処理装置の基本構成は、実施例１のベースバンド処理装置１００と同様であるので、図２を参照して説明する。
【００９３】
実施例５のベースバンド処理装置１００において、無線リソース割当部２５４は、ＣＡＬリンクのホップ数に対応する階層を特定した後、以下の処理を行う。すなわち、無線リソース割当部２５４は、特定された階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまでに１つの無線リソースが割り当てられたＴＰ１１０の総数が上限値以下であるか否かを判定する。ここで、上限値は、例えば、同一の無線リソース（シンボル）に多重可能な時間領域以外のリソースの数を示す値である。同一の無線リソース（シンボル）に多重可能な時間領域以外のリソースは、例えば、周波数のリソースや符号のリソースである。
【００９４】
そして、無線リソース割当部２５４は、１つの無線リソースが割り当てられたＴＰ１１０の総数が上限値以下である場合に、さらに、切替後の階層に隣接する下位の階層に関して、以下の判定処理を行う。すなわち、無線リソース割当部２５４は、時間軸上で当該１つの無線リソースと順方向又は逆方向に連続する他の無線リソースが切替後の階層に隣接する下位の階層のＴＰ１１０に割り当てられたと仮定する。そして、無線リソース割当部２５４は、上位の階層から切替後の階層に隣接する下位の階層に至るまでに他の無線リソースが割り当てられたＴＰ１１０の総数が上限値以下であるか否かを判定する。
【００９５】
そして、無線リソース割当部２５４は、他の無線リソースが割り当てられたＴＰ１１０の総数が上限値以下である場合に、切替後の階層に属するＴＰ１１０に対して、上記１つの無線リソースを割り当てる。
【００９６】
一方、無線リソース割当部２５４は、他の無線リソースが割り当てられたＴＰ１１０の総数が上限値を超える場合に、上記１つの無線リソースの割り当てを行うことなく、以下の処理を行う。すなわち、無線リソース割当部２５４は、切替後の階層に隣接する上位の階層に属するＴＰ１１０に割り当て済みの無線リソースに時間軸上で連続し且つ未割り当ての無線リソースを、切替後の階層に属するＴＰ１１０に対して割り当てる。
【００９７】
図１１は、実施例５に係る無線リソースの割り当ての具体例を示す図である。図１１では、無線リソース割当部２５４が、図１０に示した階層に属するＴＰに対して無線リソース（ＯＦＤＭシンボル）を割り当てる様子が示されている。また、図１１において、同一のシンボルに多重可能な時間領域以外のリソースの数を示す値が１０であるものとする。言い換えると、１つのシンボルが割り当てられたＴＰの総数の上限値が１０であるものとする。
【００９８】
図１１に示すように、無線リソース割当部２５４は、第１層から順に階層を切り替えて、階層が切り替えられる度に、１つの無線リソースが切替後の階層に属するＴＰ１１０に割り当てられたと仮定する。そして、無線リソース割当部２５４は、上位の階層から切替後の階層に至るまで１つの無線リソースが割り当てられたＴＰ１１０の総数が上限値（つまり、１０）以下であるか否かを判定する。
【００９９】
そして、無線リソース割当部２５４は、ＴＰ１１０の総数が上限値（つまり、１０）以下である場合に、さらに、切替後の階層に隣接する下位の階層に関して、以下の条件判定を行う。すなわち、無線リソース割当部２５４は、時間軸上で上記１つの無線リソースと順方向又は逆方向に連続する他の無線リソースが切替後の階層に隣接する下位の階層に属するＴＰ１１０に割り当てられたと仮定する。そして、無線リソース割当部２５４は、上位の階層から当該下位の階層に至るまでに他の無線リソースが割り当てられたＴＰ１１０の総数が上限値（つまり、１０）以下であるか否かを判定する。そして、無線リソース割当部２５４は、他の無線リソースが割り当てられたＴＰ１１０の総数が上限値（つまり、１０）以下である場合に、切替後の階層に属するＴＰ１１０に対して、上記１つの無線リソースを割り当てる。図１１に示す例では、上位の第１層から第３層に至るまで第１シンボルが割り当てられたＴＰ１１０の総数が上限値（つまり、１０）以下の９であり、且つ、下位の階層の条件が満たされる。このため、第１層及び第３層のＴＰ１１０に対して、第１シンボルが割り当てられる。また、上位の第２層から第４層に至るまで第２シンボルが割り当てられたＴＰ１１０の総数が上限値（つまり、１０）以下の３であり、且つ、下位の階層の条件が満たされる。このため、第２層及び第４層のＴＰ１１０に対して、第２シンボルが割り当てられる。
【０１００】
一方、無線リソース割当部２５４は、ＴＰ１１０の総数が上限値を超える場合に、切替後の階層に隣接する上位の階層のＴＰ１１０に割り当て済みの無線リソースに時間軸上で連続し且つ未割り当ての無線リソースを切替後の階層に属するＴＰ１１０に割り当てる。図９に示す例では、第５層に第１シンボルが割り当てられたと仮定すると、上位の第１層から第５層に至るまで第１シンボルが割り当てられたＴＰ１１０の総数が上限値（つまり、１０）を超える１８である。このため、図１１に示す例では、第５層に隣接する上位の第４層のＴＰ１１０に割り当て済みの第２シンボルに時間軸上で連続し且つ未割り当ての第３シンボルが、第５層のＴＰ１１０に対して、割り当てられる。
【０１０１】
さらに、図１１に示す例では、上位の第２層から第６層に至るまで第２シンボルが割り当てられたＴＰ１１０の総数が上限値（つまり、１０）以下の９である。このため、時間軸上で第２シンボルと順方向又は逆方向に連続する第１シンボル又は第３シンボルが切替後の第６層に隣接する下位の第７層に属するＴＰ１１０に割り当てられたと仮定される。すると、上位の第１層から第７層に至るまで第１シンボルが割り当てられたＴＰ１１０の総数が上限値（つまり、１０）を超える１４である。また、上位の第５層から第７層に至るまで第３シンボルが割り当てられたＴＰ１１０の総数が上限値（つまり、１０）を超える１４である。したがって、下位の階層の条件が満たされないので、切替後の第６層のＴＰ１１０に対する第２シンボルの割り当てがキャンセルされる。そして、切替後の第６層に隣接する上位の第５層に属するＴＰ１１０に割り当て済みの第３シンボルに時間軸上で連続し且つ未割り当ての第４シンボルが、切替後の第６層に対して割り当てられる。これにより、互いに隣接する階層に属するＴＰに対して、ＣＡＬ信号の送受信に用いられ且つ時間軸上で連続する無線リソース（シンボル）が割り当てられる。
【０１０２】
次に、実施例５に係る無線リソース割当処理について、図１２に示すフロー図を参照しながら説明する。図１２は、実施例５に係る無線リソース割当処理を示すフロー図である。図１２に示す無線リソース割当処理は、主に無線リソース割当部２５４によって実行される。また、図１２に示す無線リソース割当処理は、図６に示すステップＳ１０４に相当する。
【０１０３】
まず、ＣＡＬリンクのホップ数に対応する階層が特定される（ステップＳ１２１）。ここでは、図１０に示した階層（第１層〜第７層）が特定されるものとする。
【０１０４】
階層が特定されると、無線リソースの割り当てに用いられる各種のパラメータがそれぞれ初期化される（ステップＳ１２２）。ここでは、無線リソースの割り当て対象となる階層を表すパラメータＬが０に初期化され、第Ｌ層のＴＰ１１０に割り当てられるＯＦＤＭシンボルの時間軸上の位置を表すパラメータＰが０に初期化される。また、割り当て済みのＯＦＤＭシンボルのうち先端に位置するＯＦＤＭシンボルの時間軸上の位置を表すパラメータＰ＿ｍｉｎが正の無限大に初期化される。また、割り当て済みのＯＦＤＭシンボルのうち末端に位置するＯＦＤＭシンボルの時間軸上の位置を表すパラメータＰ＿ｍａｘが負の無限大に初期化される。また、第Ｌ層においてＯＦＤＭシンボルをシフトさせる方向を表すパラメータＤが１に初期化される。
【０１０５】
そして、パラメータＬがインクリメントされるが（ステップＳ１２３）。ここではパラメータＬがインクリメントされて１になるため、割り当て対象の階層が第１層に切り替えられる。
【０１０６】
そして、第Ｌ層のＴＰ１１０（ここでは第１層のＴＰ１１０）に対して、第｛Ｐ＋Ｄ＊（−１）｝シンボルが割り当てられたと仮定される（ステップＳ１２４）。そして、第｛Ｐ＋Ｄ＊（−１）｝シンボルが割り当てられたＴＰ１１０の総数が上限値（つまり、１０）以下であるか否かが判定される（ステップＳ１２５）。この判定の結果、第｛Ｐ＋Ｄ＊（−１）｝シンボルが割り当てられたＴＰ１１０の総数が上限値（つまり、１０）以下である場合には（ステップＳ１２５Ｙｅｓ）、第Ｌ層が末端の階層（つまり、第７層）であるか否かが判定される（ステップＳ１２６）。この判定の結果、第Ｌ層が末端の階層（つまり、第７層）である場合には（ステップＳ１２６Ｙｅｓ）、第Ｌ層のＴＰ１１０に対して第｛Ｐ＋Ｄ＊（−１）｝シンボルが割り当てられる様に、パラメータＤ及びパラメータＰが更新される（ステップＳ１２９）。
【０１０７】
ここでは、第Ｌ層が第１層であるため、第｛Ｐ＋Ｄ＊（−１）｝シンボルが割り当てられたＴＰ１１０の総数が上限値（つまり、１０）以下の１であり（ステップＳ１２５Ｙｅｓ）、且つ第Ｌ層が末端の階層ではない（ステップＳ１２６Ｎｏ）。そこで、下位の階層である第（Ｌ＋１）層に関する条件判定を行うために、第（Ｌ＋１）層のＴＰ１１０に対して、第｛Ｐ＋Ｄ＊（−１）｝シンボルと順方向又は逆方向に連続する他のシンボルが割り当てられたと仮定される（ステップＳ１２７）。すなわち、時間軸上で第｛Ｐ＋Ｄ＊（−１）｝シンボルと順方向又は逆方向に連続する他のシンボルが第Ｌ層に隣接する下位の階層である第（Ｌ＋１）層のＴＰ１１０に割り当てられたと仮定される。そして、他のシンボルが割り当てられたＴＰ１１０の総数が上限値（つまり、１０）以下であるか否かが判定される（ステップＳ１２８）。この判定の結果、他のシンボルが割り当てられたＴＰ１１０の総数が上限値（つまり、１０）以下である場合には（ステップＳ１２８Ｙｅｓ）、第Ｌ層のＴＰ１１０に対して第｛Ｐ＋Ｄ＊（−１）｝シンボルが割り当てられる様に、パラメータＤ及びパラメータＰが更新される（ステップＳ１２９）。
【０１０８】
パラメータＤ及びパラメータＰが更新されると、更新後のパラメータＰに基づいて、第Ｌ層のＴＰ１１０に対して、第Ｐシンボルが割り当てられる（ステップＳ１３０）。このとき、第Ｌ層のＴＰ１１０に対して、第Ｐシンボルとともに、第Ｐシンボルに多重可能な時間領域以外のリソースが割り当てられても良い。
【０１０９】
そして、割り当て済みのＯＦＤＭシンボルのうち先端及び末端に位置するＯＦＤＭシンボルの時間軸上の位置を表すパラメータＰ＿ｍｉｎ及びパラメータＰ＿ｍａｘが、更新後のパラメータＰに基づいて、更新される（ステップＳ１３１）。つまり、更新後のパラメータＰがパラメータＰ＿ｍｉｎよりも小さい場合には、更新後のパラメータＰがパラメータＰ＿ｍｉｎに代入される。さらに、更新後のパラメータＰがパラメータＰ＿ｍａｘよりも大きい場合には、更新後のパラメータＰがパラメータＰ＿ｍａｘに代入される。
【０１１０】
パラメータＰ＿ｍｉｎ及びパラメータＰ＿ｍａｘが更新されると、第Ｌ層が末端の階層（つまり、第７層）であるか否かが判定される（ステップＳ１３２）。この判定の結果、第Ｌ層が末端の階層（つまり、第７層）である場合には（ステップＳ１３２Ｙｅｓ）、パラメータＰが実際に割り当て可能な値に変換され（ステップＳ１３３）、無線リソース割当処理は終了する。例えば、パラメータＰが｛Ｐ＿ｍｉｎ、Ｐ＿ｍｉｎ＋１、Ｐ＿ｍｉｎ＋２、…、Ｐ＿ｍａｘ｝であり、且つ、実際に割り当て可能な値が｛１、２、３、…｝である場合を想定する。この場合、パラメータＰが負の値であるならば、パラメータＰが実際に割り当て可能な値からずれている。そこで、Ｐ＿ｍｉｎ＝１が成立する様に、パラメータＰが変換された後、無線リソース割当処理は終了する。
【０１１１】
一方、第Ｌ層が末端の階層（つまり、第７層）でない場合には（ステップＳ１３２Ｎｏ）、パラメータＬがインクリメントされて割り当て対象の階層が切り替えられ（ステップＳ１２３）、ステップＳ１２３〜Ｓ１３２の処理が繰り返される。すなわち、割り当て対象の階層が第４層に達するまで、割り当て対象の階層の条件が満たされ且つ下位の階層の条件が満たされる（ステップＳ１２５Ｙｅｓ及びステップＳ１２８Ｙｅｓ）。このため、第Ｌ層のＴＰ１１０に対して第Ｐシンボルとして第１シンボル又は第２シンボルが割り当てられる。
【０１１２】
第｛Ｐ＋Ｄ＊（−１）｝シンボルが割り当てられたＴＰ１１０の総数が上限値（つまり、１０）を超える場合には（ステップＳ１２５Ｎｏ）、第Ｌ層のＴＰ１１０に対して、第（Ｐ＋Ｄ）シンボルが割り当てられたと仮定される（ステップＳ１３４）。そして、第（Ｐ＋Ｄ）シンボルが割り当てられたＴＰ１１０の総数が上限値（つまり、１０）以下であるか否かが判定される（ステップＳ１３５）。この判定の結果、第（Ｐ＋Ｄ）シンボルが割り当てられたＴＰ１１０の総数が上限値（つまり、１０）以下である場合には（ステップＳ１３５Ｙｅｓ）、第Ｌ層のＴＰ１１０に対して第（Ｐ＋Ｄ）シンボルが割り当てられる様に、パラメータＰが更新される（ステップＳ１３６）。
【０１１３】
パラメータＰが更新されると、更新後のパラメータＰに基づいて、第Ｌ層のＴＰ１１０に対して、第Ｐシンボルが割り当てられる（ステップＳ１３０）。例えば、割り当て対象の階層（つまり、第Ｌ層）が第５層である場合を想定する。この場合、上位の第１層から第５層に至るまで第１シンボルが割り当てられたＴＰ１１０の総数が上限値（つまり、１０）を超える１８であるので、割り当て対象の階層の条件が満たされない（ステップＳ１２５Ｎｏ）。したがって、この場合、パラメータＰが更新されて３になると（ステップＳ１３６）、第５層に隣接する上位の第４層のＴＰ１１０に割り当て済みの第２シンボルに時間軸上で連続し且つ未割り当ての第３シンボルが、第５層のＴＰ１１０に対して、割り当てられる。
【０１１４】
また、他のシンボルが割り当てられたＴＰ１１０の総数が上限値（つまり、１０）を超える場合（ステップＳ１２８Ｎｏ）、第Ｌ層のＴＰ１１０に対する第｛Ｐ＋Ｄ＊（−１）｝シンボルの割り当てがキャンセルされ、ステップＳ１３５〜Ｓ１３６の処理が行われる。例えば、割り当て対象の階層（つまり、第Ｌ層）が第６層である場合を想定する。この場合、第６層のＴＰ１１０に対する第２シンボルの割り当てがキャンセルされる。そして、パラメータＰが更新されて４になると（ステップＳ１３６）、第６層に隣接する上位の第５層に属するＴＰ１１０に割り当て済みの第３シンボルに時間軸上で連続し且つ未割り当ての第４シンボルが、切替後の第６層に対して割り当てられる。
【０１１５】
そして、第（Ｐ＋Ｄ）シンボルが割り当てられたＴＰ１１０の総数が上限値（つまり、１０）を超える場合には（ステップＳ１３５Ｎｏ）、シンボルを割り当てるための全ての条件が満たされないので、以下の処理が行われる。すなわち、第（Ｌ−１）層のＴＰ１１０に対して、割り当て済みのシンボルに加えて、未割り当ての第（Ｐ＿ｍａｘ＋１）シンボルが割り当てられる様に、パラメータＬ、パラメータＰ及びパラメータＤが更新される（ステップＳ１３７）。
【０１１６】
以上のように、本実施例によれば、無線リソースの割り当て対象となる階層に関する条件判定だけでなく、無線リソースの割り当て対象となる階層に隣接する下位の階層に関する条件判定を行う。そして、下位の階層に関する条件が満たされない場合に、未割り当ての無線リソースを、無線リソースの割り当て対象となる階層のＴＰ１１０に対して割り当てる。これにより、１つのＴＰに対して２つの無線リソースが割り当てられる機会をできるだけ減らすことができるので、結果として、無線リソースの浪費をさらに抑制することができる。
【符号の説明】
【０１１７】
２０１  送信Ｉ／Ｆ部
２０２  受信Ｉ／Ｆ部
２０３  プロセッサ
２０４  メモリ
２５０  測定信号送信部
２５１  測定信号受信部
２５２  ＳＩＲ算出部
２５３  ＣＡＬリンク生成部
２５４  無線リソース割当部
２５５  ＣＡＬ信号送信部
２５６  ＣＡＬ信号受信部
２５７  ＣＡＬ係数算出部
２５８  ＵＬ信号受信部
２５９  チャネル推定値補正部
２６０  ＤＬ信号送信部
【図１】
2019004345.tif 000007
【図２】
2019004345.tif 000008
【図３】
2019004345.tif 000009
【図４】
2019004345.tif 000010
【図５】
2019004345.tif 000011
【図６】
2019004345.tif 000012
【図７】
2019004345.tif 000013
【図８】
2019004345.tif 000014
【図９】
2019004345.tif 000015
【図１０】
2019004345.tif 000016
【図１１】
2019004345.tif 000017
【図１２】
2019004345.tif 000018
【図１３】
2019004345.tif 000019